(57)【要約】      （修正有）【課題】居住者に対して実際以上に広さを印象付けることが可能な居住空間性に優れた住宅を提供する。【解決手段】矩形状の敷地１に配置された家屋２を有する住宅において、前記家屋２は平面視矩形状の外周部にのみ設けられた外壁７と、該外壁７に設けられた窓１１、１２、１３と、前記家屋２の内部のほぼ中心に設けられた階段１５とを備え、前記家屋２の内部には間仕切壁が存在せず、前記敷地１の対角線と、前記家屋２の対角線とが一致することなく所定角度だけずらした状態で、かつ前記敷地１の方角との関係で定められた任意の向きに前記家屋２が配置され、前記家屋２の内部から前記敷地１の対角線上の角部Ｃ１、Ｃ２、Ｃ３が目視可能であるようにした。【選択図】図１
0003165095.tif 000002
【実用新案登録請求の範囲】
【請求項１】
矩形状の敷地に配置された家屋を有する住宅において、
前記家屋は平面視矩形状の外周部にのみ設けられた外壁と、
前記外壁に設けられた窓と、
前記家屋の内部のほぼ中心に設けられた階段と
を備え、
前記家屋の内部には間仕切壁が存在せず、前記敷地の対角線と、前記家屋の対角線とが一致することなく所定角度だけずらした状態で、かつ前記敷地の方角との関係で定められた任意の向きに前記家屋が配置され、前記家屋の内部から前記敷地の対角線上の角部が目視可能である
ことを特徴とする住宅。
【請求項２】
前記敷地の中心と、前記家屋の中心とが一致せず、所定距離だけシフトされている
ことを特徴とする請求項１に記載の住宅。
【考案の詳細な説明】
【技術分野】
【０００１】
本考案は、住宅に関するものである。
【背景技術】
【０００２】
従来、隣接敷地間の隣地境界線に対して一定の角度をつけて配置された住宅の建物が提案されている（例えば、特許文献１参照）。
【先行技術文献】
【特許文献】
【０００３】
【特許文献１】特開2009-155837号公報
【考案の概要】
【考案が解決しようとする課題】
【０００４】
ところで上述した特許文献１においては、敷地の隣地境界線に対して住宅の建物が一定の角度ずらされた状態で配置されているものの、建物の配置によって敷地内に略三角形の庭空間を形成するだけであるから、この敷地に配置された建物を居住者に対して如何に広く印象付けさせるかという工夫については考慮されておらず、居住空間性の点で不十分であるという問題があった。
【０００５】
本発明は以上の点を考慮してなされたもので、居住者に対して実際以上に広さを印象付けることが可能な居住空間性に優れた住宅を提案しようとするものである。
【課題を解決するための手段】
【０００６】
本考案においては、矩形状の敷地に配置された家屋を有する住宅において、前記家屋は平面視矩形状の外周部にのみ設けられた外壁と、前記外壁に設けられた窓と、前記家屋の内部のほぼ中心に設けられた階段とを備え、前記家屋の内部には間仕切壁が存在せず、前記敷地の対角線と、前記家屋の対角線とが一致することなく所定角度だけずらした状態で、かつ前記敷地の方角との関係で定められた任意の向きに前記家屋が配置され、前記家屋の内部から前記敷地の対角線上の角部が目視可能であるようにした。
【０００７】
また本考案にかかる住宅は、前記敷地の中心と、前記家屋の中心とが一致せず、所定距離だけシフトされているようにしてもよい。
【考案の効果】
【０００８】
本考案によれば、矩形状の敷地に配置された家屋を有する住宅において、前記家屋は平面視矩形状の外周部にのみ設けられた外壁と、前記外壁に設けられた窓と、前記家屋の内部のほぼ中心に設けられた階段とを備え、前記家屋の内部には間仕切壁が存在せず、前記敷地の対角線と、前記家屋の対角線とが一致することなく所定角度だけずらした状態で、かつ前記敷地の方角との関係で定められた任意の向きに前記家屋が配置され、前記家屋の内部から前記敷地の対角線上の角部が目視可能であるようにしたことにより、家屋の内部から窓を通して外部を見たときに視界を遮る物がなく、敷地の対角線上の角部まで見渡すことができるので、居住者に対して家屋の広さを実物以上に印象付けることができ、かくして敷地を有効活用しつつ居住者に対して実際以上に広さを印象付けることが可能な居住空間性に優れた住宅を実現することができる。
【図面の簡単な説明】
【０００９】
【図１】第１の実施の形態における家屋配置及び１Ｆリビングタイプの住宅（１）を示す上面図である。
【図２】第１の実施の形態において敷地に家屋が配置された住宅の全体外観構成（１）を示す略線的斜視図である。
【図３】第１の実施の形態において敷地に家屋が配置された住宅の全体外観構成（２）を示す略線的斜視図である。
【図４】第１の実施の形態においてリビングルームから庭を眺めたときの様子を示す略線的斜視図である。
【図５】第１の実施の形態においてキッチンルームから庭を眺めたときの様子を示す略線的斜視図である。
【図６】第２の実施の形態における家屋配置及び１Ｆ寝室タイプの住宅（１）を示す上面図である。
【図７】他の実施の形態における家屋配置及び１Ｆリビングタイプの住宅（２）を示す上面図である。
【図８】他の実施の形態における家屋配置及び１Ｆリビングタイプの住宅（３）を示す上面図である。
【図９】他の実施の形態における家屋配置及び１Ｆ寝室タイプの住宅（２）を示す上面図である。
【図１０】他の実施の形態における家屋配置及び１Ｆ寝室タイプの住宅（３）を示す上面図である。
【考案を実施するための形態】
【００１０】
＜１．実施の形態＞
（１−１．家屋配置及び１Ｆリビングタイプの住宅構造）
図１（Ａ）において、この住宅では、道路境界線Ｌ１、隣地境界線Ｌ２乃至Ｌ４によって区画された正方形状でなる敷地１に対して、平面視正方形状でなる家屋２（１階部分２１Ｆ）が玄関を道路のある東向きにした状態で配置されている。
【００１１】
この敷地１は、東側だけが道路境界線Ｌ１で道路に面し、北側、南側及び西側が隣地境界線Ｌ２、Ｌ３及びＬ４で隣地に面している。
【００１２】
このとき家屋２は、敷地１の対角線ＬＣＬ１、ＬＣＬ２と、１階部分２１Ｆの対角線ＨＣＬ１、ＨＣＬ２とが互いに一致したり、平行状態となることがなく、敷地１の対角線ＬＣＬ１（ＬＣＬ２）と１階部分２１Ｆの対角線ＨＣＬ１（ＨＣＬ２）とが互いに所定の角度α（例えば３０度）だけずらされた状態（図中には示していない）で配置されている。
【００１３】
ここで、敷地１の対角線ＬＣＬ１（ＬＣＬ２）と１階部分２１Ｆの対角線ＨＣＬ１（ＨＣＬ２）との角度αは必ずしも３０度である必要はなく、例えば１０度〜８０度の幅を持ち、その中で任意の角度に設定することが可能である。
【００１４】
家屋２は、内部空間が正方形状に４等分されたリビングルーム空間３、ダイニングルーム空間４、キッチンルーム空間５、玄関・階段等が設けられた出入空間６を有するが、それぞれの空間を遮る間仕切壁が存在しないことを特徴とする。
【００１５】
なお家屋２は、間仕切壁が存在しないものの、外周部にのみ耐力壁でなる外壁７が設けられており、その外壁７の内側には所定間隔で配置された間柱８が複数設けられ、所定の強度を保持するようになされている。
【００１６】
また家屋２は、出入空間６を除き、生活空間として使用されるリビングルーム空間３、ダイニングルーム空間４、キッチンルーム空間５から敷地１の対角線ＬＣＬ１、ＬＣＬ２上の延長にある角部Ｃ１、Ｃ２、Ｃ３を居住者が目視確認できるような外壁７の所定位置に大開口サッシでなる窓１１、１２及び１３が設けられている。
【００１７】
例えばリビングルーム空間３では、窓１１を介して敷地１の対角線ＬＣＬ２上の延長にある角部Ｃ２を居住者が目視確認可能であり、かつ間仕切壁が存在しないため、ダイニングルーム空間４の窓１２を介して敷地１の対角線ＬＣＬ１上の延長にある角部Ｃ１を居住者が目視確認可能である。これにより家屋２では、リビングルーム空間３から東南及び南西の２方向に対する視界が開けた状態となり、居住者に対して奥行きの深さを印象付け得るようになされている。
【００１８】
ダイニングルーム空間４では、窓１２を介して敷地１の対角線ＬＣＬ１上の延長にある角部Ｃ１を居住者が目視確認可能であり、かつ間仕切壁が存在しないため、リビングルーム空間３の窓１１を介して敷地１の対角線ＬＣＬ２上の延長にある角部Ｃ２を居住者が目視確認可能である。これにより家屋２では、ダイニング空間４から南西及び東南の２方向に対する視界が開けた状態となり、居住者に対して奥行きの深さを印象付け得るようになされている。
【００１９】
キッチン空間５では、窓１３を介して敷地１の対角線ＬＣＬ２上の延長にある角部Ｃ３を居住者が目視確認可能であり、かつ間仕切壁が存在しないため、ダイニングルーム空間４の窓１２を介して敷地１の対角線ＬＣＬ１上の延長にある角部Ｃ１を目視確認可能である。これにより家屋２では、キッチン空間５から北西及び南西の２方向に対する視界が開けた状態となり、居住者に対して奥行きの深さを印象付け得るようになされている。
【００２０】
ここで家屋２は、玄関側の出入空間６のうち当該家屋２の内部のほぼ中心に近い場所に対して階段１５が設けられていることにより、リビングルーム空間３、ダイニングルーム空間４、キッチンルーム空間５から角部Ｃ１、Ｃ２、Ｃ３を目視する居住者の視界が階段１５によって遮られることを予め防止し得るようになされている。
【００２１】
さらに家屋２は、１階部分２１Ｆの対角線ＨＣＬ１、ＨＣＬ２の交点となる中心ＣＰ２と、敷地１の対角線ＬＣＬ１、ＬＣＬ２の交点となる中心ＣＰ１とが必ずしも一致しておらず、家屋２の中心ＣＰ２が敷地１の中心ＣＰ１から西側へ所定の離間距離Ｌ（図中には示していない）だけシフトした位置に配置されている。
【００２２】
これにより家屋２では、ユーザの好みに合わせて、玄関側に設けられた敷地１内の駐車場スペースを広く取ることができ、特にリビングルーム空間３の窓１１から車両までの間隔を出来るだけ離し、居住者に対して圧迫感を与えないようになされている。
【００２３】
しかしながら、この場合でも家屋２は、窓１１、１２及び１３を介して、リビングルーム空間３、ダイニングルーム空間４、キッチンルーム空間５から敷地１の対角線ＬＣＬ１、ＬＣＬ２上の延長にある角部Ｃ１、Ｃ２、Ｃ３を居住者が目視確認できるような位置関係を維持し得るようになされている。
【００２４】
すなわち、家屋２の中心ＣＰ２と敷地１の中心ＣＰ１との離間距離Ｌは、リビングルーム空間３、ダイニングルーム空間４、キッチンルーム空間５から敷地１の対角線ＬＣＬ１、ＬＣＬ２上の延長にある角部Ｃ１、Ｃ２、Ｃ３を居住者が目視確認できるような位置関係を維持できさえすれば、敷地１及び家屋２の大きさに応じて例えば１ｍ、３ｍ等の任意の値に設定することが可能である。
【００２５】
なお図１（Ｂ）及び（Ｃ）に示すように、家屋２の２階部分２２Ｆ及び３階部分２３Ｆにおいては、１階部分２１Ｆと同じ正方形状でかつ同じ大きさを有する。但し、１階部分２１Ｆと異なる点としては、２階部分２２Ｆでは寝室空間２５とフリースペース空間２６とを遮る着脱自在な引違い戸が寝室空間２５の周りに存在し、３階部分２３Ｆでは屋根裏部分になるので必ずしも３方向に窓が設けられていないことである。
【００２６】
（１−２．家屋配置及び家屋内部からの様子）
図２に示すように、敷地１に対して家屋２が図１の如く配置されたときの外観からも明らかなように、敷地１に対して家屋２が所定角度だけ傾けられており、対角線ＬＣＬ１、ＬＣＬ２上の延長にある角部Ｃ１、Ｃ２、Ｃ３にほぼ対向するように窓１１〜１３が設けられていることが分かる。
【００２７】
また図３に示すように、家屋２は２階部分２２Ｆのバルコニー２９（図１（Ｂ））と対応した１階部分２１Ｆに、敷地１の角部Ｃ１（図１（Ａ））と対向するダイニング空間４の前面に縁側１８（図１（Ａ））が設けられている。
【００２８】
また図４に示すように、家屋２ではリビング空間３の窓１１（図１（Ａ））から敷地１の庭を眺めた場合、敷地１の対角線ＬＣＬ２の延長にある角部Ｃ２を目視確認できることが分かる。同様に、図５に示すように、家屋２ではキッチン空間５の窓１３（図１（Ａ））から敷地１の庭を眺めた場合、敷地１の対角線ＬＣＬ２の延長にある角部Ｃ３を目視確認できていることが分かる。
【００２９】
（１−３．動作及び効果］
以上の構成において、敷地１の対角線ＬＣＬ１（ＬＣＬ２）と１階部分２１Ｆの対角線ＨＣＬ１（ＨＣＬ２）とが互いに所定角度（例えば３０度）だけずらされた状態で家屋２が敷地１に配置され、外周部にのみ耐力壁からなる外壁７が設けられ、その内部に間仕切壁が存在せず、内部のほぼ中心に階段１５が配置されると共に、リビングルーム空間３、ダイニングルーム空間４、キッチンルーム空間５から敷地１の対角線ＬＣＬ１、ＬＣＬ２上の延長にある角部Ｃ１、Ｃ２、Ｃ３を居住者が目視確認できるような位置に窓１１、１２及び１３が設けられるようにした。
【００３０】
これにより、この住宅の家屋２では、窓１１、１２及び１３を介して敷地１の対角線ＬＣＬ１上の延長にある角部Ｃ１、対角線ＬＣＬ２上の延長にある角部Ｃ２、Ｃ３を、居住者が視界を特に遮られることなく目視することができる。
【００３１】
特に、家屋２は、間仕切壁が存在せず、内部のほぼ中心に階段１５が配置されている構造であるため、居住者が家屋２の中心近くに位置しさえすれば、３方向にある角部Ｃ１、Ｃ２及びＣ３の全てを目視することも可能であり、住宅としては敷地１の広さ全体が家屋の広さであるかのような奥行き感及び開放感を居住者に印象付けることができる。
【００３２】
また家屋２は、家屋２の中心ＣＰ２が敷地１の中心ＣＰ１から西側へ所定の離間距離Ｌだけシフトされているものの、リビングルーム空間３、ダイニング空間４、キッチン空間５から敷地１の対角線ＬＣＬ１、ＬＣＬ２上の延長にある角部Ｃ１、Ｃ２、Ｃ３を居住者が目視確認できるような位置関係を維持している。
【００３３】
これにより家屋２は、１階部分２１Ｆが西側の壁に少し近づくことになるが、その壁が家屋２と正対しないため壁による圧迫感を与えることがなく、かつ居住者にとっては敷地１の対角線ＬＣＬ１、ＬＣＬ２上の延長にある角部Ｃ１、Ｃ２、Ｃ３を目視することになるので、ほぼ変わらない奥行き感及び開放感を印象付けることができる。
【００３４】
以上の構成によれば、住宅の家屋２では敷地１に対する配置角度が考慮され、かつ階段１５の位置及び間仕切壁を有さないという構造上の特徴が与えられたことにより、敷地１の広さを家屋２の広さ、奥行き感及び開放感に繋げ、優れた居住空間を提供することができる。
【００３５】
＜２．第２の実施の形態＞
（２−１．家屋配置及び１Ｆ寝室タイプの住宅構造）
図１との対応部分に同一符号を付した図６（Ａ）において、この住宅では、道路境界線Ｌ１、隣地境界線Ｌ２乃至Ｌ４によって区画された正方形状でなる敷地１に対して、平面視正方形状でなる家屋２２（１階部分２２１Ｆ）が玄関を道路のある東向きにした状態で配置されている。
【００３６】
このとき家屋２２は、第１の実施の形態における家屋２（図１）と同様、敷地１の対角線ＬＣＬ１、ＬＣＬ２と、１階部分２２１Ｆの対角線ＨＣＬ１、ＨＣＬ２とが互いに一致したり、平行状態となることがなく、敷地１の対角線ＬＣＬ１（ＬＣＬ２）と１階部分２１Ｆの対角線ＨＣＬ１（ＨＣＬ２）とが互いに所定の角度α（例えば３０度）だけずらされた状態（図中には示していない）で配置されている。
【００３７】
ここで、敷地１の対角線ＬＣＬ１（ＬＣＬ２）と１階部分２２１Ｆの対角線ＨＣＬ１（ＨＣＬ２）との角度αは必ずしも３０度である必要はなく、１０度〜８０度の幅を持ち、その中で任意の角度に設定することが可能である。
【００３８】
家屋２２は、内部空間が正方形状に４等分された寝室空間２２３、フリースペース空間２２４、浴室空間２２５、玄関・階段等が設けられた出入空間２２６を有し、寝室空間２５の周りには着脱自在な引違い戸が設けられているだけであり、各空間を遮る間仕切壁が存在しないことを特徴とする。
【００３９】
なお家屋２２は、間仕切壁が存在しないものの、外周部にのみ耐力壁でなる外壁７が設けられており、その外壁７の内側には所定間隔で配置された間柱８が複数設けられ、所定の強度を保持するようになされている。
【００４０】
また家屋２２は、浴室空間２２５及び出入空間２２６を除き、生活空間として使用される寝室空間２２３及びフリースペース空間２２４から敷地１の対角線ＬＣＬ１、ＬＣＬ２上の延長にある角部Ｃ１、Ｃ２を居住者が目視確認できるような外壁７の所定位置に大開口サッシでなる窓２３１及び２３２が設けられている。
【００４１】
例えば寝室空間２２３では、窓２３１を介して敷地１の対角線ＬＣＬ２上の延長にある角部Ｃ２を居住者が目視確認可能である。またフリースペース空間２２４では、窓２３２を介して敷地１の対角線ＬＣＬ１上の延長にある角部Ｃ１を居住者が目視確認可能である。これにより家屋２では、寝室空間２２３から東南方向に対する視界が開けた状態となり、またフリースペース空間２２４から南西方向に対する視界が開けた状態となり、居住者に対して奥行きの深さを印象付け得るようになされている。
【００４２】
この場合も家屋２２は、出入空間２２６のうち当該家屋２２のほぼ中心に近い場所に対して階段１５が設けられていることにより、寝室空間２２３及びフリースペース空間２２４から角部Ｃ１、Ｃ２を目視する居住者の視界が階段１５によって遮られることを予め防止し得るようになされている。
【００４３】
さらに家屋２２は、１階部分２２１Ｆの対角線ＨＣＬ１、ＨＣＬ２の交点となる中心ＣＰ２と、敷地１の対角線ＬＣＬ１、ＬＣＬ２の交点となる中心ＣＰ１とが必ずしも一致しておらず、家屋２２の中心ＣＰ２が敷地１の中心ＣＰ１から西側へ所定の離間距離Ｌ（図中には示していない）だけシフトした位置に配置されている。
【００４４】
これにより家屋２２においても、ユーザの好みに合わせて、玄関側に設けられた敷地１内の駐車場スペースを広く取ることができ、特に寝室空間２２３の窓２３１から車両までの間隔を出来るだけ離し、圧迫感を与えないようになされている。
【００４５】
しかしながら、この場合でも家屋２２は、窓２３１及び２３２を介して、寝室空間２２３、フリースペース空間２２４から敷地１の対角線ＬＣＬ１、ＬＣＬ２上の延長にある角部Ｃ１、Ｃ２を居住者が目視確認できるような位置関係を維持し得るようになされている。
【００４６】
すなわち、家屋２２の中心ＣＰ２と敷地１の中心ＣＰ１との離間距離Ｌは、寝室空間２２３、フリースペース空間２２４から敷地１の対角線ＬＣＬ１、ＬＣＬ２上の延長にある角部Ｃ１、Ｃ２を居住者が目視確認できるような位置関係を維持できさえすれば、敷地１及び家屋２２の大きさに応じて例えば１ｍ、３ｍ等の任意の値に設定することが可能である。
【００４７】
なお図６（Ｂ）及び（Ｃ）に示すように、家屋２２の２階部分２２２Ｆ及び３階部分２２３Ｆにおいては、１階部分２２１Ｆと同じ正方形状でかつ同じ大きさを有する。但し、１階部分２２１Ｆと異なる点としては、２階部分２２２Ｆにはリビングルーム空間、ダイニングルーム空間、キッチンルーム空間及びトイレ空間が設けられるものの、階段１５以外は間仕切壁が一切存在せず、３階部分２２３Ｆでは屋根裏部分になるので必ずしも３方向に窓が設けられていないことである。
【００４８】
（２−２．動作及び効果］
以上の構成において、敷地１の対角線ＬＣＬ１（ＬＣＬ２）と１階部分２２１Ｆの対角線ＨＣＬ１（ＨＣＬ２）とが互いに所定角度（例えば３０度）だけずらされた状態で家屋２２が配置され、外周部にのみ耐力壁からなる外壁７が設けられ、その内部の寝室空間２２３にだけしか間仕切壁が存在せず、内部のほぼ中心に階段１５が配置されると共に、寝室空間２２３、フリースペース空間２２４から敷地１の対角線ＬＣＬ１、ＬＣＬ２上の延長にある角部Ｃ１、Ｃ２を居住者が目視確認できるような位置に窓２３１及び２３２が設けられるようにした。
【００４９】
これにより、この住宅の家屋２２では、寝室空間２２３の窓２３１を介して敷地１の対角線ＬＣＬ１上の延長にある角部Ｃ１、フリースペース空間２２４の窓２３２を介して対角線ＬＣＬ２上の延長にある角部Ｃ２を、居住者が視界を特に遮られることなく目視することができる。
【００５０】
特に、家屋２２は、間仕切壁が存在せず、ほぼ中心に階段１５が配置されている構造であるため、居住者が階段１５によって遮られることなく、角部Ｃ１及びＣ２を確実に目視することができ、かくして住宅としては敷地１の広さ全体が家屋の広さであるかのような奥行き感及び開放感を居住者に印象付けることができる。
【００５１】
また家屋２２は、家屋２２の中心ＣＰ２が敷地１の中心ＣＰ１から西側へ所定の離間距離Ｌだけシフトされているものの、寝室空間２２３から敷地１の対角線ＬＣＬ２上の延長にある角部Ｃ２を居住者が目視確認できる共に、フリースペース空間２２４から敷地１の対角線ＬＣＬ１上の延長にある角部Ｃ１を居住者が目視確認できるような位置関係を維持している。
【００５２】
これにより家屋２２は、１階部分２２１Ｆが西側の壁に少し近づくことになるが、その壁が家屋２２と正対しないため壁による圧迫感を与えることがなく、かつ居住者にとっては敷地１の対角線ＬＣＬ１、ＬＣＬ２上の延長にある角部Ｃ１、Ｃ２を目視することになるので、ほぼ変わらない奥行き感及び開放感を印象付けることができる。
【００５３】
以上の構成によれば、住宅の家屋２２では敷地１に対する配置が考慮され、かつ階段１５の位置及び最小限の間仕切壁しか有さないという構造上の特徴が与えられたことにより、敷地１の広さを家屋２２の広さ、奥行き感及び開放感に繋げ、優れた居住空間を提供することができる。
【００５４】
＜３．他の実施の形態＞
なお上述した第１の実施の形態においては、家屋２（１階部分２１Ｆ）が玄関を東向きにした状態で配置されるようにした場合（図１）について述べた。しかしながら、本発明はこれに限らず、図１との対応部分に同一符号を付した図７（Ａ）〜（Ｃ）に示すように、敷地１の方角に合わせて玄関を道路のある東向きにした状態で家屋２（１階部分２１Ｆ）が配置されるようにしてもよい。
【００５５】
この場合、この敷地１は、東側及び北側が隣地境界線Ｌ１１、Ｌ１２で隣地に面し、南側及び西側が道路境界線Ｌ１３、Ｌ１４で道路に面した角地である。
【００５６】
一方、家屋２（１階部分２１Ｆ）は、第１の実施の形態における家屋２（１階部分２１Ｆ）が時計回りに９０度回転した状態で敷地１に配置されたものであり、向きが異なる以外その構成及び作用効果は基本的に同一である。なお、家屋２の２階部分２２２Ｆ及び３階部分２２３Ｆについては、第１の実施の形態における２階部分２２Ｆ及び３階部分２３Ｆ（図１（Ｂ）、（Ｃ））とは階段１５の構造等が一部異なるものの基本的に同一である。
【００５７】
また、同様に図１との対応部分に同一符号を付した図８に示すように、敷地１の方角に合わせて玄関を道路のある北向きにした状態で家屋３３（１階部分３３１Ｆ）が配置されるようにしてもよい。
【００５８】
この場合、敷地１は、東側及び北側が道路境界線Ｌ２１、Ｌ２２で道路に面し、南側及び西側が道路境界線Ｌ２３、Ｌ２４で隣地に面した角地である。一方、家屋３３（１階部分３３１Ｆ）は、第１の実施の形態における家屋２（１階部分２１Ｆ）が反時計回りに９０度回転された状態で敷地１に配置されたものであるが、新たにダイニングルーム空間４の南西側に窓４０が設けられている。
【００５９】
これにより家屋３３（１階部分３３１Ｆ）では、ダイニングルーム空間４の窓４０とキッチンルーム空間５の窓１３との間に支柱を挟むものの、家屋２（図１）よりも大開口の窓（窓１３＋窓４０）を形成することができ、一段と奥行き感及び開放感を向上させることができる。なお、家屋３３の２階部分３３２Ｆ及び３階部分３３３Ｆについては、図７に示した家屋２の２階部分２２２Ｆ及び３階部分２２３Ｆと向きが異なるだけで基本的に同一である。
【００６０】
また上述した第２の実施の形態においては、家屋２２（１階部分２２１Ｆ）が玄関を東向きにした状態で配置されるようにした場合（図６）について述べた。しかしながら、本発明はこれに限らず、図６との対応部分に同一符号を付した図９に示すように、敷地１の方角に合わせて玄関を道路のある南向きにした状態で家屋２２（１階部分２２１Ｆ）が配置されるようにしてもよい。
【００６１】
この場合、この敷地１は、東側及び北側が隣地境界線Ｌ１１、Ｌ１２で隣地に面し、南側及び西側が道路境界線Ｌ１３、Ｌ１４で道路に面した角地である。一方、家屋２（１階部分２１Ｆ）は、第２の実施の形態における家屋２２（１階部分２２１Ｆ）が時計回りに９０度回転した状態で敷地１に配置されたものであり、向きが異なる以外その構成及び作用効果は基本的に同一である。
【００６２】
また、同様に図６との対応部分に同一符号を付した図１０に示すように、敷地１の方角に合わせて玄関を道路のある北向きにした状態で家屋４４（１階部分４４１Ｆ）が配置されるようにしてもよい。
【００６３】
この場合も、敷地１は、東側及び北側が道路境界線Ｌ２１、Ｌ２２で道路に面し、南側及び西側が隣地境界線Ｌ２３、Ｌ２４で隣地に面した角地である。一方、家屋４４（１階部分４４１Ｆ）は、第２の実施の形態における家屋２２（１階部分２２Ｆ）が反時計回りに９０度回転された状態で敷地１に配置されたものであるが、新たにフリースペース空間２２４の南西側に窓４１が設けられている。
【００６４】
これにより家屋４４（１階部分４４１Ｆ）では、フリースペース空間２２４の東側に設けられた窓２３２と、南西側に設けられた窓４１とによって、居住者に対してフリースペース空間２２４から東側及び南西側の２方向を同時に目視確認させえるでき、一段と奥行き感及び開放感を向上させることができる。
【００６５】
このように、図７〜図１０に示したように、第１の実施の形態における家屋２（図１）、第２の実施の形態における家屋２２（図６）を時計回り又は反時計回りに９０度回転することにより、敷地１の方角との関係で定められた任意の向きに家屋２、２２が配置されることになるので、敷地１の各種方角に合わせた種々の配置バリエーションを容易に展開することができ、かくして敷地１の各種方角に合わせた新たな設計を考える必要がなく、設計・施工の手間を格段に省力化することが可能となる。因みに、図１、図６〜図１０に示した家屋２、３３、２２、４４においては、道路境界線を介して鏡面反転したような構造を採用することも可能であり、様々な配置バリエーションを展開することができる。
【００６６】
さらに第１の実施の形態及び第２の実施の形態においては、敷地１の対角線ＬＣＬ１（ＬＣＬ２）と１階部分２１Ｆの対角線ＨＣＬ１（ＨＣＬ２）とが互いに所定の角度α（例えば３０度）だけずらされた状態（図中には示していない）で配置されているようにした場合について述べた。しかしながら、本発明はこれに限るものではなく、敷地１の対角線ＬＣＬ１、ＬＣＬ２上の延長にある角部Ｃ１、Ｃ２、Ｃ３を居住者が目視確認できるような位置に窓１１〜１３、２３１及び２３２が設けられれば、敷地１の対角線ＬＣＬ１、ＬＣＬ２と、家屋２、２２の１階部分２１Ｆ、２２１Ｆの対角線ＨＣＬ１、ＨＣＬ２とが互いに一致するようにしてもよい。
【００６７】
さらに第１の実施の形態及び第２の実施の形態においては、正方形の敷地１に対して平面視正方形の家屋２、２２を配置するようにした場合について述べたが、本発明はこれに限るものではなく、長方形状の敷地に平面視正方形の家屋を配置したり、正方形の敷地に平面視長方形の家屋を配置してもよく、要は対角線の角部が存在する敷地に対して、その角部を容易に目視可能な間取りを取り得る家屋を配置できれば良いので、矩形状の敷地に平面視矩形状の家屋を配置するようにしてもよい。
【００６８】
さらに第１の実施の形態及び第２の実施の形態における家屋２、２２の間取りや各空間の配置パターンはこれらに限られるものではなく、その他、種々の間取りや配置パターンを採用することができる。
【産業上の利用可能性】
【００６９】
本発明の住宅は、例えば一般住宅だけでなく、ビル等に適用することもできる。
【符号の説明】
【００７０】
２、２２、３３、４４……家屋、３……リビングルーム空間、４……ダイニングルーム空間、５……キッチンルーム空間、６、２２６……出入空間、７……外壁、８……間柱、１１〜１３、４０、４１、２３１、２３２……窓、１５……階段、２２３……寝室空間、２２４……フリースペース空間、２２５……浴室空間。
【図１】
0003165095.tif 000003
【図６】
0003165095.tif 000004
【図７】
0003165095.tif 000005
【図８】
0003165095.tif 000006
【図９】
0003165095.tif 000007
【図１０】
0003165095.tif 000008
【図２】
0003165095.tif 000009
【図３】
0003165095.tif 000010
【図４】
0003165095.tif 000011
【図５】
0003165095.tif 000012